(57)【要約】  電話とデータ通信が両方可能である携帯電話やスマートフォンなどの端末を利用し、電話番号を利用してサーバに電話をかけることで、簡単にコンテンツにアクセスできる方式を提供する。  コンテンツにはコンテンツを一意に特定可能とする電話番号が与えられており、ユーザはあるコンテンツを視聴したい場合、コンテンツを特定するための電話番号を利用し、通信端末から応答装置に電話をする。通信端末では電話発信と同時にデータ通信を開始する。応答装置では携帯電話から発信された電話を受ける。次に、コンテンツの電話番号と、コンテンツを配信できる配信サーバを照合する。応答装置では通信端末から発信されたデータ通信のセッションを、コンテンツ配信サーバに転送する。コンテンツ配信サーバはコンテンツを読みだして、コンテンツ受信部に配信することで、通信端末で映像視聴が可能となる。
2012073974.tif 000002
【特許請求の範囲】
【請求項１】
通信端末から発呼された電話を受信する応答部と、
コンテンツのそれぞれについて、コンテンツを一意に特定可能な番号と、コンテンツを配可能なコンテンツ配信サーバとを対応付けて管理するコンテンツデータベースと、
前記コンテンツデータベースを参照して、前記応答部で受信した電話の番号からコンテンツを特定するとともに、当該コンテンツを配信するためのコンテンツ配信サーバを照合するロケーション照合部と、
前記照合したコンテンツ配信サーバに対して、前記特定したコンテンツを前記通信端末に配信するよう制御する配信制御部と、
を備える応答装置。
【請求項２】
ユーザ認証情報を格納するユーザデータベースをさらに備え、
前記ロケーション照合部は、前記応答部で受信した電話の発信者番号と前記ユーザデータベースに登録された認証情報とに基づいて、電話をかけたユーザが前記特定したコンテンツを視聴可能か否かを照合し、
前記照合の結果、前記電話をかけたユーザが前記特定したコンテンツを視聴する権利を持っていることが確認できた場合には、前記配信制御部が当該コンテンツを前記通信端末に配信するよう制御する、
ことを特徴とする請求項１に記載の応答装置。
【請求項３】
前記照合の結果、前記電話をかけたユーザが前記特定したコンテンツを視聴する権利を持っていることが確認できなかった場合には、前記通信端末とのセッションを切断する、
ことを特徴とする請求項２に記載の応答装置。
【請求項４】
前記配信制御部は、前記照合したコンテンツ配信サーバにセッションを転送するアクセス転送部を含む、
ことを特徴とする請求項１乃至３のいずれかに記載の応答装置。
【請求項５】
前記配信制御部は、前記通信端末に対して、前記照合したコンテンツ配信サーバからコンテンツを受信するように要求するとともに、前記照合したコンテンツ配信サーバに対して、前記通信端末からコンテンツの配信要求が来ることを通知するデータ通信要求部を含む、
ことを特徴とする請求項１乃至３のいずれかに記載の応答装置。
【請求項６】
処理部と、コンテンツのそれぞれについて、コンテンツを一意に特定可能な番号と、コンテンツを配可能なコンテンツ配信サーバとを対応付けて管理するコンテンツデータベースとを備える応答装置において、コンテンツの配信を制御する方法であって、
通信端末から発呼された電話を受信するステップと、
前記コンテンツデータベースを参照して、前記受信した電話の番号からコンテンツを特定するとともに、当該コンテンツを配信するためのコンテンツ配信サーバを照合するステップと、
前記照合したコンテンツ配信サーバに対して、前記特定したコンテンツを前記通信端末に配信するよう制御するステップと、
を備える制御方法。
【発明の詳細な説明】
【技術分野】
【０００１】
本発明は、ネットワーク上にあるコンテンツに容易にアクセス可能とするコンテンツアクセス方式に関する。
【背景技術】
【０００２】
インターネットなど、ネットワーク上にあるコンテンツにアクセスし、閲覧・視聴を行うため、従来からコンテンツの場所を特定するための手法が開発されている。例えば、インターネットのコンテンツではＵＲＬ（Uniform Resource Locator）やＵＲＩ（Uniform Resource Identifier）と呼ばれる文字列を利用し、コンテンツを一意に特定する手法がある。ＵＲＬでは、例えば、http://www.nec.co.jp/content.mov という形式の文字列で、www.nec.co.jpというホスト上にあるcontent.movというコンテンツの場所を特定することができる。また、ＬＡＮ上のコンテンツでは、ネットワークパスと呼ばれる文字列を利用し、コンテンツを一意に特定する手法がある。ネットワークパスでは、\\nec\content.movという形式の文字列で、"nec"というホスト上で公開されているcontent.movというコンテンツの場所を特定することができる。【０００３】
しかし、これらの文字列で表されたＵＲＬやネットワークパスは、ＰＣなどのフルキーボードを持った端末を対象としており、ＰＣなどでは文字列を入力しやすいが、携帯電話など、主に数字キーしか持たない端末では文字入力がしにくく、アクセスが困難であるという欠点がある。【０００４】
このような問題を解決するため、特許文献１や特許文献２において、アナログ電話を利用し、サーバに対して電話をかけ、ガイダンスに従って、数字キーでコンテンツを選択して、コンテンツを電話以外のテレビや電子楽器で視聴するための発明が開示されている。
【先行技術文献】
【特許文献】
【０００５】
【特許文献１】特開２００９−２６１９１号公報
【特許文献２】特開２００４−３４３４６４号公報
【発明の概要】
【発明が解決しようとする課題】
【０００６】
ところが、特許文献１、特許文献２に記載のコンテンツ選択方式では、コンテンツ視聴、閲覧を行う端末はテレビや電子楽器などの電話以外の端末であり、電話とデータ通信が両方可能である携帯電話やスマートフォンでの視聴は想定していない。このため、外出先などデータ通信が可能となる端末がない環境ではコンテンツ視聴ができないという課題がある。【０００７】
また、視聴、閲覧する端末の特定などのため、サーバ装置に自動応答装置（ＩＶＲ）を用意して、ユーザがプッシュボタンにより端末を特定する必要がある。自動応答装置の音声通話を利用してインタラクティブにユーザ応答を受け付けるサーバでは、サーバの自動処理ができないため、同時に処理できるユーザ数（トランザクション数）が限られるという課題がある。【０００８】
本発明は、かかる実情に鑑み、電話とデータ通信が両方可能である携帯電話やスマートフォンなどの端末を利用し、電話番号を利用してサーバに電話をかけることで、簡単にコンテンツにアクセスできる方式を提供しようとするものである。
【課題を解決するための手段】
【０００９】
本発明の一実施形態に係るコンテンツアクセス方式は、電話とデータ通信の両方が可能である通信端末と、通信端末からの電話発信やデータ通信に応答する応答装置と、ストレージに蓄積されているコンテンツと、コンテンツを通信端末に配信するためのコンテンツ配信サーバとを含むシステムによって提供される。通信端末は、電話番号を使って電話をかける電話発信部と、電話の発呼と同時にデータ通信を開始するデータ通信部と、配信されてくるコンテンツを受信し、表示するコンテンツ受信部とを備える。応答装置は、通信端末から発呼された電話を受け取る応答部と、電話番号からコンテンツを特定するためのロケーション照合部と、コンテンツを配信するための配信サーバを照合するためのデータベースであるコンテンツデータベースと、ユーザ認証情報を格納するユーザデータベースと、特定したコンテンツを配信するコンテンツ配信サーバにセッションを転送するアクセス転送部とを備える。【００１０】
この実施形態において、コンテンツにはコンテンツを一意に特定可能とする電話番号が与えられている。ユーザはあるコンテンツを視聴したい場合、コンテンツを特定する電話番号を利用し、通信端末では電話発信部が応答装置に対して電話発信し、同時にデータ通信部が応答装置とデータ通信を開始する。応答装置では応答部で通信端末から発信された電話を受ける。次に、ロケーション照合部で、コンテンツデータベースからコンテンツの電話番号と、コンテンツを配信できる配信サーバを照合し、アクセス転送部が、データ通信部から発信されたデータ通信セッションを、コンテンツ配信サーバに転送して、コンテンツ配信サーバからコンテンツを読みだして、通信端末のコンテンツ受信部に配信することで、通信端末でコンテンツ視聴、閲覧が可能となる。【００１１】
本発明の他の実施形態に係るコンテンツアクセス方式は、電話とデータ通信の両方が可能である通信端末と、通信端末からの電話発信やデータ通信を応答する応答装置と、ストレージに蓄積されているコンテンツと、コンテンツを通信端末に配信するためのコンテンツ配信サーバとを含むシステムによって提供される。通信端末は、コンテンツにアクセスするため、電話番号を使って電話をかける電話発信部と、データ通信要求受信部と、コンテンツ通信部とを備える。応答装置は、通信端末から発呼された電話を受け取る応答部と、電話番号からコンテンツを特定するためのロケーション照合部と、コンテンツを配信するための配信サーバを照合するためのデータベースであるコンテンツデータベースと、ユーザ認証情報を格納するユーザデータベースと、データ通信要求部とを備える。【００１２】
この実施形態において、コンテンツにはコンテンツを一意に特定可能とする電話番号が与えられている。ユーザはあるコンテンツを視聴したい場合、コンテンツを特定するための電話番号を利用し、通信端末の電話発信部が応答装置に電話し、応答装置の応答部が電話を受ける。次に、ロケーション照合部で、コンテンツの電話番号と、コンテンツを配信できる配信サーバを照合し、データ通信要求部が通信端末に対して、照合されたコンテンツ配信サーバからコンテンツを受信するように要求する。通信端末のデータ通信要求受信部が応答装置のデータ通信要求を受信し、コンテンツ通信部がコンテンツ配信サーバに対してコンテンツの配信要求を行う。コンテンツ配信サーバはコンテンツを読みだして、コンテンツ通信部に配信することで、通信端末でコンテンツ視聴、閲覧が可能となる。【００１３】
これらの実施形態によれば、電話による通話とデータ通信が同時にできる端末において、コンテンツに一意に与えられた数字列の番号に電話をかけることで、この数字列で一意に特定されるコンテンツをデータ通信で視聴、閲覧することができる。端末でコンテンツの視聴が許可されない場合には、数字列で一意に特定されるコンテンツとは別のコンテンツをデータ通信により視聴、閲覧させるようにしてもよい。好適には、コンテンツに一意に与えられた数字列は電話番号である。また好適には、コンテンツに一意に与えられた数字列は電話番号と一つまたは複数の数字列の組み合わせである。また、電話による通話とデータ通信が同時にできる端末において、サービス装置に対して電話をかけることで、端末では、データ通信により端末で視聴可能なコンテンツリストを受信し、コンテンツリストから視聴、閲覧したいコンテンツをユーザが選択することで、コンテンツを視聴、閲覧できるようにしてもよい。
【発明の効果】
【００１４】
本発明の特定の実施形態によれば、電話とデータ通信が両方可能であり、かつキーの数や大きさが制限されたキーボードしかもたない端末でも、容易にコンテンツを指定して、いつでもコンテンツ視聴、閲覧が可能であるという効果を奏し得る。その理由は、電話とデータ通信の両機能を有する端末を利用することで、利用できる環境を選ばず、かつ、通信端末が持つ制限されたキーボードでも打鍵可能な電話番号を利用してコンテンツを特定することで、ユーザはコンテンツを利用することができるからである。【００１５】
また、本発明の特定の実施形態によれば、自動応答装置によるユーザ入力がなくても、コンテンツ視聴、閲覧が可能であるという効果を奏し得る。その理由は、電話セッションとデータ通信セッションを同じ端末で行うことで、両セッションを同期させることができ、音声やプッシュボタンによるユーザ入力を必要としないからである。
【図面の簡単な説明】
【００１６】
【図１】本発明の一実施形態に係るコンテンツアクセスシステムの概略構成を示す図である。
【図２】本発明の一実施形態の動作の一例を示すフローチャートである。
【図３】本発明の他の実施形態に係るコンテンツアクセスシステムの概略構成を示す図である。
【図４】本発明の他の実施形態の動作の一例を示すフローチャートである。
【図５】本発明の他の実施形態の動作の他の一例を示すフローチャートである。
【発明を実施するための形態】
【００１７】
以下、本発明の実施の形態について図面を参照しつつ詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００１８】
図１は、本発明の一実施形態に係るコンテンツアクセスシステムの概略構成を示す図である。同図を参照すると、本実施形態におけるコンテンツアクセスシステムは、ユーザが使用する通信端末１０と、通信端末１０からの電話発信やデータ通信に応答する応答装置２０と、コンテンツを蓄積するストレージ３０と、ストレージ３０に蓄積されたコンテンツを通信端末１０に配信するためのコンテンツ配信サーバ４０とを含む。
【００１９】
通信端末１０は、電話機能とデータ通信機能の両方を利用可能な端末装置であり、例えば、携帯電話機、スマートフォン、ＰＤＡ、タブレット型コンピュータ、パーソナルコンピュータ（ＰＣ）等を適応することができる。通信端末１０は、電話番号を用いて電話をかける電話発信部１０１と、電話の発呼と並行してデータ通信を開始するデータ通信部１０２と、配信されてくるコンテンツを受信し、通信端末１０のディスプレイ等の表示装置に表示するコンテンツ受信部１０３とを備える。
【００２０】
応答装置２０は、通信端末１０から発呼された電話を受け取る応答部２０１と、受け取った電話番号からコンテンツを特定するためのロケーション照合部２０２と、コンテンツを配信するための配信サーバを照合するためのデータベースであるコンテンツデータベース（コンテンツＤＢ）２０３と、ユーザ認証情報を格納するユーザデータベース（ユーザＤＢ）２０４と、特定したコンテンツを通信端末１０に配信するよう制御する配信制御部として、特定したコンテンツを配信するコンテンツ配信サーバ４０にセッションを転送するアクセス転送部２０５とを備える。例えば、コンテンツＤＢ２０３は、コンテンツのそれぞれについて、コンテンツを一意に特定可能な番号と、コンテンツを配可能なコンテンツ配信サーバとを対応付けて管理する。ユーザＤＢは、ユーザ認証情報を格納し、各ユーザがどのコンテンツを視聴する権利を有するかに関する情報を管理する。
【００２１】
応答装置２０は、コンピュータにより構成され、各部の動作や処理を制御するための処理部として機能するプロセッサ、処理プログラムや各種データの記録及び作業領域として用いられる記憶装置としての外部記録装置やメモリ、キーやタッチパッド等からの入力を受け取る入力インタフェース、液晶ディスプレイ等の出力装置に出力する出力インタフェース、ネットワークを介して通信を行うための通信インタフェース、及びこれらを結ぶバスを備える。当該応答装置２０を構成する各ハードウェア資源がメモリに格納されたソフトウェアと協働して動作することにより、応答部２０１、ロケーション照合部２０２及び配信制御部（アクセス転送部２０５）の機能を実現する。他の実施例についても同様である。
【００２２】
コンテンツ配信サーバ４０は、ストレージ３０に格納されたコンテンツを通信端末１０に配信するコンピュータ・サーバであり、処理部として機能するＣＰＵ、ＲＯＭやＲＡＭ等のメモリ、各種の情報を格納する外部記憶装置、入出力インタフェース、通信インタフェース及びこれらを結ぶバスを備える。
【００２３】
次に、図２のフローチャートを利用して、本実施形態の動作の一例を説明する。
【００２４】
各コンテンツにはコンテンツを特定するための電話番号がそれぞれ与えられているとする。ユーザはあるコンテンツを視聴したい場合、当該コンテンツを特定するための電話番号を利用し、通信端末１０の電話発信部１０１から応答装置２０に電話をする（Ｓ００１）。次に、電話発信部１０１が電話発信するのと並行してデータ通信部１０２がデータ通信を開始する（Ｓ００２）。このとき、データ通信部１０２の通信相手である応答装置２０のＩＰアドレスは、電話番号と紐づいたＩＰアドレスをデータベースが保持しており、そのデータベースから電話番号に基づいてＩＰアドレスを取得して、それを利用する。このデータベースは、ネットワーク上に備えてもよいし、通信端末１０や応答装置２０で備えるものとしてもよい。また、ステップＳ００１で発呼した電話セッションとステップＳ００２で発信したデータ通信セッションが同一端末からのセッションであることを特定するための認証情報が、Ｓ００２のデータ通信セッション内で通信されている。
【００２５】
応答装置２０では応答部２０１で電話発信部１０１から発信された電話を受ける（Ｓ００３）。応答部２０１では電話を受け取ると、電話発信部１０１から発信された発信者番号を読取る（Ｓ００４）。次に、ロケーション照合部２０２で、コンテンツＤＢ２０３から当該コンテンツの電話番号と、当該コンテンツを配信できる配信サーバ４０を照合する（Ｓ００５）。ロケーション照合部２０２では、コンテンツ配信サーバを照合するとともに、ステップＳ００４で読み取った発信者番号とユーザＤＢ２０４に登録された認証情報をもとに、電話をかけたユーザ（通信端末１０を使用するユーザ）が当該コンテンツを視聴可能か否かの確認を行う（Ｓ００６）。ステップＳ００４で発信者番号が読み取れない場合や、ステップＳ００６で確認の結果ユーザが当該コンテンツを視聴する権利を持っていない場合は、通話セッションおよびデータ通信セッションを切断する（Ｓ００７）。一方、ステップＳ００６で確認の結果、ユーザが当該コンテンツを視聴する権利を持っている場合は、アクセス転送部２０５が、データ通信部１０２から発信されたデータ通信セッションを、コンテンツ配信サーバ４０に転送する（Ｓ００８）。コンテンツ配信サーバ４０は、転送されたセッションに対して、ストレージ３０に蓄積されたコンテンツを読みだして、コンテンツ受信部１０３に配信することで、通信端末１０で映像視聴が可能となる（Ｓ００９）。
【００２６】
本実施形態の動作のステップＳ００１において、電話をかけているコンテンツを特定する電話番号として、一般電話に利用される０３−１２３４−５６７８や０５０−１２３４−５６７８といった１０〜１１桁の番号を使用することを想定しているが、本発明はこれに限定されるものではない。例えば、企業内部で利用する場合などは一般電話とは異なる電話番号体系である内線番号を利用しても良い。配信可能なコンテンツが増加し、電話番号が不足することが考えられるため、応答装置２０に一つもしくは複数個の代表番号を割り当て、サブアドレスや内線番号のような追加の数字列でコンテンツを指定しても良い。追加の数字列を利用する場合、応答装置２０は自動音声応答機能（ＩＶＲ）を持ち、追加の数字列を、プッシュボタン（ＤＴＭＦ）で認識するようにしても良い。
【００２７】
本発明の動作のステップＳ００４において、ユーザの発信している通信端末１０の発信者番号を読み取り、ステップＳ００６において、ユーザがコンテンツを視聴可能かどうかの確認を行っているが、誰にでも見せて良いコンテンツやサービスの場合は、ステップＳ０００４やステップＳ００６のような認証確認のための動作ステップは不要である。また、Ｓ００７で認証が確認されない場合は、電話セッションを切断しているが、当該コンテンツは視聴できないが、視聴できない旨のメッセージ、お試し版コンテンツ、コンテンツの購入を促すメッセージなど、別のコンテンツを見せるように、処理を継続しても良い。
【００２８】
さらに、ステップＳ００８において、データ通信セッションをコンテンツ配信サーバ４０に転送しているが、応答装置２０がコンテンツ配信機能を持ち、コンテンツ配信サーバ４０を兼ねる構成の場合は、ステップＳ００８におけるセッションの転送は行わなくても良い。
【００２９】
本実施形態の動作では、通信端末１０からかけた電話の通話セッションをいつまで保持すべきかは任意である。発信者番号の読み取りが成功した直後に切断しても良いし、アクセス転送部２０４が通信セッションを転送した直後に切断してもよいし、コンテンツ配信サーバ４０がコンテンツ配信を開始したら切断してもよいし、コンテンツ視聴が終わるまで通話セッションを保持しても良い。
【００３０】
図３は、本発明の他の実施形態に係るコンテンツアクセスシステムの概略構成を示す図である。以下では、図１と比較して、異なる部分について説明する。図１に示す実施形態では、通信端末１０がデータ通信部１０２とコンテンツ受信部１０３を備えるものとしたが、図３に示す実施形態では、通信端末１０はデータ通信要求受信部１０４とコンテンツ通信部１０５を備える。また、応答装置２０は、特定したコンテンツを通信端末１０に配信するよう制御する配信制御部として、アクセス転送部２０５の代わりにデータ通信要求部２０６を備える。
【００３１】
次に、図４のフローチャートを利用して、本実施形態の動作の一例を説明する。
【００３２】
ユーザがあるコンテンツを視聴したい場合、当該コンテンツを特定するための電話番号を利用し、通信端末１０の電話発信部１０１から応答装置２０に電話をかける（Ｓ１０１）。応答装置２０では応答部２０１で電話発信部１０１から発信された電話を受ける（Ｓ１０２）。応答部２０１では電話を受け取るのと並行して、電話発信部１０１から発信された発信者番号を読取る（Ｓ１０３）。次に、ロケーション照合部２０２で、コンテンツＤＢ２０３から当該コンテンツの電話番号と、当該コンテンツを配信できる配信サーバ４０を照合する（Ｓ１０４）。ロケーション照合部２０２では、コンテンツ配信サーバを照合するとともに、ステップＳ１０３で読み取った発信者番号とユーザＤＢ２０４に登録された認証情報をもとに、電話をかけたユーザ（通信端末１０を使用するユーザ）が当該コンテンツを視聴可能かどうかの確認を行う（Ｓ１０５）。ステップＳ１０３で発信者番号が読み取れない場合や、ステップＳ１０５で確認の結果ユーザが当該コンテンツを視聴する権利を持っていない場合は、通話を切断する（Ｓ１０６）。一方、ステップＳ１０５で確認の結果、ユーザが当該コンテンツを視聴する権利を持っている場合は、データ通信要求部２０６が通信端末１０に対して、コンテンツ配信サーバ４０からコンテンツを受信するように要求する（Ｓ１０７）。加えて、データ通信要求部２０６は、コンテンツ配信サーバ４０に対して、通信端末１０からコンテンツの配信要求が来ることを通知する（Ｓ１０８）。通信端末１０ではデータ通信要求受信部１０４が応答装置２０からのデータ通信要求を受信する（Ｓ１０９）。データ通信要求を受信したコンテンツ通信部１０５は、コンテンツ配信サーバ４０に対してコンテンツの配信要求を行う（Ｓ１１０）。コンテンツ配信サーバ４０はステップＳ１０８で通知された通信端末１０からの配信要求であることを確認し、ストレージ３０からコンテンツを読みだして、コンテンツ通信部１０５に配信することで、通信端末１０で映像視聴が可能となる（Ｓ１１１）。
【００３３】
ステップＳ１０７において、応答装置２０のデータ通信要求部２０６は通信端末１０のデータ通信要求受信部１０４に対して、コンテンツ配信サーバ４０と通信を行うように要求を行っているが、このときデータ通信要求部２０６はデータ通信要求受信部１０４の通信にＩＰネットワークを利用する場合は、通信端末１０のＩＰアドレスを事前に知っておく必要がある。このＩＰアドレスは通信端末１０の発信者番号とＩＰアドレスの組み合わせをデータベースとして持っていても良いし、通信端末がＳＩＰなどのＩＰネットワークを利用した通話の場合はＳＩＰの発信者アドレスを利用しても良い。通信端末１０のＩＰアドレスがわからない場合は、データ通信要求部２０６が通信端末１０に対してＳＭＳ（ショートメッセージサービス）や電子メールなどの手段を使ってデータ通信要求受信部１０４に通知しても良い。通常、ＳＭＳは通信端末１０の発信者番号で送信可能であるし、電子メールアドレスも通信端末１０の発信者番号と紐づいたデータベースを用意すればよい。データ通信要求受信部１０４ではＳＭＳや電子メールを受信すると、応答装置２０から発信された特別なＳＭＳや電子メールの場合は、ＳＭＳや電子メールのテキストメッセージに記載されたコンテンツ配信サーバ４０のアドレス等を自動で読み取り、コンテンツ通信部１０５に対してコンテンツ通信要求を出しても良い。また、テキストメッセージを自動で読み取らず、通信端末１０のユーザがテキストメッセージに記載されたコンテンツ配信サーバ４０のアドレス等をクリックすることで、コンテンツ通信部１０５に対してコンテンツ通信要求を出しても良い。
【００３４】
データ通信要求部２０６がデータ通信要求部１０４に対して通知する、コンテンツ配信サーバ４０のアドレスは、例えば、「http://www.nec.co.jp/content0312345678-1234.mov」といった一般のＵＲＬを利用することができる。この時、www.nec.co.jpがコンテンツ配信サーバ４０を示すホスト名であり、content0312345678-1234.movはコンテンツ配信サーバ４０が管理するコンテンツ３０のパスである。通信端末１０は数字キーなど、限られたキーボードしか持たないものもあるが、ＳＭＳや電子メールに上記ＵＲＬが記載されている場合には、ＵＲＬを選択して、確定するだけでコンテンツ配信サーバ４０のＵＲＬにアクセス可能である。
【００３５】
また、ステップＳ１０６で、認証が確認されない場合は、電話セッションを切断しているが、当該コンテンツは視聴できないが、視聴できない旨のメッセージ、お試し版コンテンツ、コンテンツの購入を促すメッセージなど、別のコンテンツを見せるように、処理を継続しても良い。
【００３６】
本発明の動作においても、通信端末１０からかけた電話の通話セッションをいつまで保持すべきかは任意である。発信者番号の読み取りが成功した直後に切断しても良いし、データ通信要求部２０６がデータ通信を通信端末１０に対して要求した直後に切断してもよいし、コンテンツ配信サーバ４０がコンテンツ配信を開始したら切断してもよいし、コンテンツ視聴が終わるまで通話セッションを保持しても良い。
【００３７】
図５は、代表の電話番号を持つ応答装置２０がコンテンツを選択する処理の流れを示すフローチャートである。これまでに説明した実施の形態では、電話番号もしくは電話番号に付加した数字列が一意のコンテンツを示すものとしているが、一つまたは複数の代表の電話番号を持つ応答装置２０がコンテンツを選択しても良い。この場合の動作を図３で示した実施の形態を利用して、図５のフローチャートで説明する。図１の実施の形態でも同様の変形例を実施可能である。
【００３８】
ユーザがあるコンテンツを視聴したい場合、当該コンテンツを特定するために代表番号が与えられた応答装置２０の電話番号を利用し、通信端末１０の電話発信部１０１から応答装置２０に電話をする（Ｓ２０１）。応答装置２０では応答部２０１で電話発信部１０１から発信された電話を受ける（Ｓ２０２）。応答部２０１では電話を受け取ると、電話発信部１０１から発信された発信者番号を読取る（Ｓ２０３）。次に、ロケーション照合部２０２で、読み取った前記発信者番号が利用可能なコンテンツリストをユーザＤＢ２０４から読み出す（Ｓ２０４）。このコンテンツリストは発信者番号が示す通信端末１０を利用するユーザが購入したコンテンツやユーザに対して公開が許可されたコンテンツのリストである。次に、コンテンツＤＢ２０３から読み出したコンテンツリストが示す各コンテンツを配信できる配信サーバ４０を照合する（Ｓ２０５）。このとき、複数のコンテンツが複数の異なるコンテンツ配信サーバ４０であることもある。データ通信要求部１０４ではステップＳ２０５で照合された一つまたは複数のコンテンツ配信サーバ４０に対して、通信端末１０からコンテンツの配信要求が来ることを通知する（Ｓ２０６）。通信端末１０ではデータ通信要求受信部１０４が応答装置２０から、利用可能なコンテンツリストを含むデータ通信要求を受信する（Ｓ２０７）。データ通信要求受信部１０４では前記コンテンツリストを含むデータを受信し、前記コンテンツリストをユーザに提示する（Ｓ２０８）。ユーザは提示されたコンテンツリストから見たいコンテンツを選択し、コンテンツ通信部１０５に対して、当該コンテンツをコンテンツ配信サーバ４０から受信するように通知し（Ｓ２０９）、コンテンツ通信部１０５はデータ通信要求受信部１０４からの通知を受け、コンテンツ配信サーバ４０に対してコンテンツの配信要求を行う（Ｓ２１０）。コンテンツ配信サーバ４０はステップＳ１０８で通知された通信端末１０からの配信要求であることを確認し、コンテンツ３０を読みだして、コンテンツ通信部１０５に配信することで、通信端末１０で映像視聴が可能となる（Ｓ２１１）。
【００３９】
また、ステップＳ２０３で発信者番号が読み取れない場合は、誰でも見て良いコンテンツのみをコンテンツリストに入れても良いし、認証できないとして、電話セッションを切断しても良い。
【００４０】
本実施の形態の説明では、通信端末１０を電話とデータ通信の両方が可能である携帯電話やスマートフォンとしているが、電話とデータ通信ができる端末であれば固定電話やパーソナルコンピュータ（ＰＣ）などでも良い。
【００４１】
応答装置２０はネットワークサービスを提供する通信キャリアに設置し、通信キャリアがサービスしても良いし、通信キャリア以外のインターネットサービスプロバイダや一般企業が、応答装置２０用の電話番号を取得してサービスしても良い。
【００４２】
コンテンツ３０は映像コンテンツであることを想定しているが、音楽コンテンツやテキストコンテンツ、Ｗｅｂコンテンツなど、ユーザが視聴、閲覧できるコンテンツであればどのようなコンテンツでも良い。また、コンテンツの種類はコンテンツプロバイダが提供するコンテンツやインターネット上のコンテンツ、ユーザが作成したコンテンツ（ＵＧＣ：User Generated Content）でも良い。
【００４３】
なお、本実施形態および各変形例において示した各処理のステップは処理内容に矛盾を生じない範囲で任意に順番を変更して又は並列に実行することができる。さらに本明細書等において、手段とは、単に物理的手段を意味するものではなく、その手段が有する機能をソフトウェアによって実現する場合も含む。さらにまた、１つの手段が有する機能が２つ以上の物理的手段により実現されても、２つ以上の手段の機能が１つの物理的手段により実現されてもよい。また、任意の実施形態において、コンテンツアクセスシステムを実現するプログラムは、ＣＤ−ＲＯＭやＤＶＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００４４】
上記の実施形態の一部又は全部は、以下の付記のようにも記載されうるが、以下には限られない。
【００４５】
（付記１）通信端末から発呼された電話を受信する応答部と、コンテンツのそれぞれについて、コンテンツを一意に特定可能な番号と、コンテンツを配可能なコンテンツ配信サーバとを対応付けて管理するコンテンツデータベースと、前記コンテンツデータベースを参照して、前記応答部で受信した電話の番号からコンテンツを特定するとともに、当該コンテンツを配信するためのコンテンツ配信サーバを照合するロケーション照合部と、前記照合したコンテンツ配信サーバに対して、前記特定したコンテンツを前記通信端末に配信するよう制御する配信制御部と、を備える応答装置。
【００４６】
（付記２）ユーザ認証情報を格納するユーザデータベースをさらに備え、前記ロケーション照合部は、前記応答部で受信した電話の発信者番号と前記ユーザデータベースに登録された認証情報とに基づいて、電話をかけたユーザが前記特定したコンテンツを視聴可能か否かを照合し、前記照合の結果、前記電話をかけたユーザが前記特定したコンテンツを視聴する権利を持っていることが確認できた場合には、前記配信制御部が当該コンテンツを前記通信端末に配信するよう制御する、ことを特徴とする付記１に記載の応答装置。
【００４７】
（付記３）前記照合の結果、前記電話をかけたユーザが前記特定したコンテンツを視聴する権利を持っていることが確認できなかった場合には、前記通信端末とのセッションを切断する、ことを特徴とする付記２に記載の応答装置。
【００４８】
（付記４）前記配信制御部は、前記照合したコンテンツ配信サーバにセッションを転送するアクセス転送部を含む、ことを特徴とする付記１乃至３のいずれかに記載の応答装置。
【００４９】
（付記５）前記配信制御部は、前記通信端末に対して、前記照合したコンテンツ配信サーバからコンテンツを受信するように要求するとともに、前記照合したコンテンツ配信サーバに対して、前記通信端末からコンテンツの配信要求が来ることを通知するデータ通信要求部を含む、ことを特徴とする付記１乃至３のいずれかに記載の応答装置。
【００５０】
（付記６）処理部と、コンテンツのそれぞれについて、コンテンツを一意に特定可能な番号と、コンテンツを配可能なコンテンツ配信サーバとを対応付けて管理するコンテンツデータベースとを備える応答装置において、コンテンツの配信を制御する方法であって、通信端末から発呼された電話を受信するステップと、前記コンテンツデータベースを参照して、前記受信した電話の番号からコンテンツを特定するとともに、当該コンテンツを配信するためのコンテンツ配信サーバを照合するステップと、前記照合したコンテンツ配信サーバに対して、前記特定したコンテンツを前記通信端末に配信するよう制御するステップと、を備える制御方法。
【符号の説明】
【００５１】
１０…通信端末、２０…応答装置、３０…ストレージ、４０…コンテンツ配信サーバ、１０１…電話発信部、１０２…データ通信部、１０３…コンテンツ受信部、１０４…データ通信要求受信部、１０５…コンテンツ通信部、２０１…応答部、２０３…コンテンツＤＢ、２０４…ユーザＤＢ、２０２…ロケーション照合部、２０５…アクセス転送部、２０６…データ通信要求部
【図１】
2012073974.tif 000003
【図２】
2012073974.tif 000004
【図３】
2012073974.tif 000005
【図４】
2012073974.tif 000006
【図５】
2012073974.tif 000007
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
通信端末から発呼された電話を受信する応答部と、
コンテンツのそれぞれについて、コンテンツを一意に特定可能な番号と、コンテンツを配信可能なコンテンツ配信サーバとを対応付けて管理するコンテンツデータベースと、
前記コンテンツデータベースを参照して、前記応答部で受信した電話の番号からコンテンツを特定するとともに、当該コンテンツを配信するためのコンテンツ配信サーバを照合するロケーション照合部と、
前記照合したコンテンツ配信サーバに対して、前記特定したコンテンツを前記通信端末に配信するよう制御する配信制御部と、
を備える応答装置。
【請求項２】
ユーザ認証情報を格納するユーザデータベースをさらに備え、
前記ロケーション照合部は、前記応答部で受信した電話の発信者番号と前記ユーザデータベースに登録された認証情報とに基づいて、電話をかけたユーザが前記特定したコンテンツを視聴可能か否かを照合し、
前記照合の結果、前記電話をかけたユーザが前記特定したコンテンツを視聴する権利を持っていることが確認できた場合には、前記配信制御部が当該コンテンツを前記通信端末に配信するよう制御する、
ことを特徴とする請求項１に記載の応答装置。
【請求項３】
前記照合の結果、前記電話をかけたユーザが前記特定したコンテンツを視聴する権利を持っていることが確認できなかった場合には、前記通信端末とのセッションを切断する、
ことを特徴とする請求項２に記載の応答装置。
【請求項４】
前記配信制御部は、前記照合したコンテンツ配信サーバにセッションを転送するアクセス転送部を含む、
ことを特徴とする請求項１乃至３のいずれかに記載の応答装置。
【請求項５】
前記配信制御部は、前記通信端末に対して、前記照合したコンテンツ配信サーバからコンテンツを受信するように要求するとともに、前記照合したコンテンツ配信サーバに対して、前記通信端末からコンテンツの配信要求が来ることを通知するデータ通信要求部を含む、
ことを特徴とする請求項１乃至３のいずれかに記載の応答装置。
【請求項６】
処理部と、コンテンツのそれぞれについて、コンテンツを一意に特定可能な番号と、コンテンツを配信可能なコンテンツ配信サーバとを対応付けて管理するコンテンツデータベースとを備える応答装置において、コンテンツの配信を制御する方法であって、
通信端末から発呼された電話を受信するステップと、
前記コンテンツデータベースを参照して、前記受信した電話の番号からコンテンツを特定するとともに、当該コンテンツを配信するためのコンテンツ配信サーバを照合するステップと、
前記照合したコンテンツ配信サーバに対して、前記特定したコンテンツを前記通信端末に配信するよう制御するステップと、
を備える制御方法。
【請求項７】
コンピュータを、
通信端末から発呼された電話を受信する応答部、
コンテンツのそれぞれについてコンテンツを一意に特定可能な番号とコンテンツを配信可能なコンテンツ配信サーバとを対応付けて管理するコンテンツデータベースを参照して、前記応答部で受信した電話の番号からコンテンツを特定するとともに、当該コンテンツを配信するためのコンテンツ配信サーバを照合するロケーション照合部、及び、
前記照合したコンテンツ配信サーバに対して、前記特定したコンテンツを前記通信端末に配信するよう制御する配信制御部、
として機能させるためのプログラム。
【国際調査報告】
2012073974.tif 000008
2012073974.tif 000009
2012073974.tif 000010
2012073974.tif 000011